(57)【要約】【課題】指定された種類のデータが再生できない箇所を再生可能な他の種類のデータで再生することで、不自然な再生が行われる回数を減少させるディスク再生装置及びディスク再生方法を提供する。【解決手段】ステップＳ２５０では、再生中のオーディオデータがエラーであるか否かを判断し、再生中のオーディオデータがエラーの場合は、ステップＳ２６０に進む。ステップＳ２６０では、オーディオデータの全てがエラーか否かを判断し、全てがエラーの場合は、ステップＳ２７０に進み、そうでない場合は、ステップＳ３１０に進む。ステップＳ２７０では、音声を出力しないことにする。ステップＳ３１０以降では、再生可能な他のデータで再生する。【選択図】図２
2007095153.tif 000002
【特許請求の範囲】
【請求項１】
ディスクに固有の識別情報を取得するディスク情報取得部と、
前記ディスクの再生が出来ない箇所を特定するエラー情報を取得するエラー情報取得部と、
前記識別情報及びエラー情報を記憶する不揮発性メモリと
を有するディスク再生装置であって、
指定された種類のデータが再生できない箇所を再生可能な他の種類のデータで再生する手段を有することを特徴とするディスク再生装置。
【請求項２】
ディスクに固有の識別情報を取得するディスク情報取得部と、
前記ディスクの再生が出来ない箇所を特定するエラー情報を取得するエラー情報取得部と、
前記識別情報及びエラー情報を記憶する不揮発性メモリと
を有するディスク再生装置であって、
映像データが再生できない箇所を直前に再生できた静止画を表示して再生する手段と、
指定された種類の言語の音声データが再生できない箇所を再生可能な他の種類の言語の音声データで再生する手段と
を有することを特徴とするディスク再生装置。
【請求項３】
ディスクに固有の識別情報を取得するディスク情報取得部と、
前記ディスクの再生が出来ない箇所を特定するエラー情報を取得するエラー情報取得部と、
前記識別情報及びエラー情報を記憶する不揮発性メモリと
を有するディスク再生装置であって、
映像データが再生できない箇所を直前に再生できた静止画を表示して再生する手段と、
指定された種類の言語の音声データが再生できない箇所でサブピクチャを表示する手段と
を有することを特徴とするディスク再生装置。
【請求項４】
ディスクに固有の識別情報を取得するディスク情報取得部と、
前記ディスクの再生が出来ない箇所を特定するエラー情報を取得するエラー情報取得部と、
前記識別情報及びエラー情報を記憶する不揮発性メモリと
を有するディスク再生装置におけるディスク再生方法であって、
指定された種類のデータが再生できない箇所を再生可能な他の種類のデータで再生するステップを有することを特徴とするディスク再生方法。
【請求項５】
ディスクに固有の識別情報を取得するディスク情報取得部と、
前記ディスクの再生が出来ない箇所を特定するエラー情報を取得するエラー情報取得部と、
前記識別情報及びエラー情報を記憶する不揮発性メモリと
を有するディスク再生装置におけるディスク再生方法であって、
映像データが再生できない箇所を直前に再生できた静止画を表示して再生するステップと、
指定された種類の言語の音声データが再生できない箇所を再生可能な他の種類の言語の音声データで再生するステップと
を有することを特徴とするディスク再生方法。
【請求項６】
ディスクに固有の識別情報を取得するディスク情報取得部と、
前記ディスクの再生が出来ない箇所を特定するエラー情報を取得するエラー情報取得部と、
前記識別情報及びエラー情報を記憶する不揮発性メモリと
を有するディスク再生装置におけるディスク再生方法であって、
映像データが再生できない箇所を直前に再生できた静止画を表示して再生するステップと、
指定された種類の言語の音声データが再生できない箇所でサブピクチャを表示するステップと
を有することを特徴とするディスク再生方法。
【発明の詳細な説明】
【技術分野】
【０００１】
本発明は、情報が記録されたディスクの再生装置及び再生方法に関するものであり、より詳しくは、映像、音声、字幕などを記憶したディスクの再生装置及び再生方法に関するものである。
【背景技術】
【０００２】
近年、映画やドラマを記録する媒体には、その記憶容量の大きさから、テープに替わってディスク（例えば、ＤＶＤ）が多く使用されるようになって来た。中には、複数の言語の音声や複数の言語のサブピクチャ（登場人物が話す言葉の字幕や、場面や物を補足説明する字幕など）が記憶されており、ユーザがこれらの中から出力される音声やサブピクチャの言語を指定できるようになっているものもある。
【０００３】
一方で、ディスクは傷に弱いという面も持っている。特許文献１には、傷で再生できない箇所については、この箇所をスキップして再生を行う技術が開示されている。
【０００４】
【特許文献１】特開２００１−２７３７３０号公報
【発明の開示】
【発明が解決しようとする課題】
【０００５】
しかし、特許文献１に記載の技術によれば、ユーザが指定した言語の音声が再生できない箇所は必ずスキップされるので、無音映像、又は、コマ落ちといった不自然な再生を行うことになるという問題があった。また、たとえ他のデータ（例えば、他の言語の音声）が傷の影響を受けておらず、そのデータで再生できたとしても、必ずスキップされてしまうため、ディスクに記録されているデータが有効活用されずに、不自然な再生を行うという問題があった。
【０００６】
本発明は、上述の問題点に鑑みてなされたものであり、指定された種類のデータが再生できない箇所を、再生可能な他の種類のデータで再生することで、再生時にスキップする箇所を減少させ、不自然な再生が行われる回数を減少させるディスク再生装置及びディスク再生方法を提供することを目的とする。
【課題を解決するための手段】
【０００７】
請求項１に記載のディスク再生装置は、ディスクに固有の識別情報を取得するディスク情報取得部と、前記ディスクの再生が出来ない箇所を特定するエラー情報を取得するエラー情報取得部と、前記識別情報及びエラー情報を記憶する不揮発性メモリとを有するディスク再生装置であって、指定された種類のデータが再生できない箇所を再生可能な他の種類のデータで再生する手段を有することを特徴とする。
【０００８】
請求項１に記載のディスク再生装置によれば、指定された種類のデータが再生できない箇所を再生可能な他の種類のデータで再生することで、再生時にスキップする箇所を減少させ、不自然な再生が行われる回数を減少させることができる。
【０００９】
請求項２に記載のディスク再生装置は、ディスクに固有の識別情報を取得するディスク情報取得部と、前記ディスクの再生が出来ない箇所を特定するエラー情報を取得するエラー情報取得部と、前記識別情報及びエラー情報を記憶する不揮発性メモリとを有するディスク再生装置であって、映像データが再生できない箇所を直前に再生できた静止画を表示して再生する手段と、指定された種類の言語の音声データが再生できない箇所を再生可能な他の種類の言語の音声データで再生する手段とを有することを特徴とする。
【００１０】
請求項２に記載のディスク再生装置によれば、映像データが再生できない箇所を直前に再生できた静止画を表示して再生すること、及び、指定された種類の言語の音声データが再生できない箇所を再生可能な他の種類の言語の音声データで再生することで、再生時にスキップする箇所を減少させ、不自然な再生が行われる回数を減少させることができる。
【００１１】
請求項３に記載のディスク再生装置は、ディスクに固有の識別情報を取得するディスク情報取得部と、前記ディスクの再生が出来ない箇所を特定するエラー情報を取得するエラー情報取得部と、前記識別情報及びエラー情報を記憶する不揮発性メモリとを有するディスク再生装置であって、映像データが再生できない箇所を直前に再生できた静止画を表示して再生する手段と、指定された種類の言語の音声データが再生できない箇所でサブピクチャを表示する手段とを有することを特徴とする。
【００１２】
請求項３に記載のディスク再生装置によれば、映像データが再生できない箇所を直前に再生できた静止画を表示して再生すること、及び、指定された種類の言語の音声データが再生できない箇所でサブピクチャを表示することで、再生時にスキップする箇所を減少させ、不自然な再生が行われる回数を減少させることができる。
【００１３】
請求項４に記載のディスク再生装置は、ディスクに固有の識別情報を取得するディスク情報取得部と、前記ディスクの再生が出来ない箇所を特定するエラー情報を取得するエラー情報取得部と、前記識別情報及びエラー情報を記憶する不揮発性メモリとを有するディスク再生装置におけるディスク再生方法であって、指定された種類のデータが再生できない箇所を再生可能な他の種類のデータで再生するステップを有することを特徴とする。
【００１４】
請求項４に記載のディスク再生装置によれば、指定された種類のデータが再生できない箇所を再生可能な他の種類のデータで再生することで、再生時にスキップする箇所を減少させ、不自然な再生が行われる回数を減少させることができる。
【００１５】
請求項５に記載のディスク再生装置は、ディスクに固有の識別情報を取得するディスク情報取得部と、前記ディスクの再生が出来ない箇所を特定するエラー情報を取得するエラー情報取得部と、前記識別情報及びエラー情報を記憶する不揮発性メモリとを有するディスク再生装置におけるディスク再生方法であって、映像データが再生できない箇所を直前に再生できた静止画を表示して再生するステップと、指定された種類の言語の音声データが再生できない箇所を再生可能な他の種類の言語の音声データで再生するステップとを有することを特徴とする。
【００１６】
請求項５に記載のディスク再生装置によれば、映像データが再生できない箇所を直前に再生できた静止画を表示して再生すること、及び、指定された種類の言語の音声データが再生できない箇所を再生可能な他の種類の言語の音声データで再生することで、再生時にスキップする箇所を減少させ、不自然な再生が行われる回数を減少させることができる。
【００１７】
請求項６に記載のディスク再生装置は、ディスクに固有の識別情報を取得するディスク情報取得部と、前記ディスクの再生が出来ない箇所を特定するエラー情報を取得するエラー情報取得部と、前記識別情報及びエラー情報を記憶する不揮発性メモリとを有するディスク再生装置におけるディスク再生方法であって、映像データが再生できない箇所を直前に再生できた静止画を表示して再生するステップと、指定された種類の言語の音声データが再生できない箇所でサブピクチャを表示するステップとを有することを特徴とする。
【００１８】
請求項６に記載のディスク再生装置によれば、映像データが再生できない箇所を直前に再生できた静止画を表示して再生すること、及び、指定された種類の言語の音声データが再生できない箇所でサブピクチャを表示することで、再生時にスキップする箇所を減少させ、不自然な再生が行われる回数を減少させることができる。
【発明の効果】
【００１９】
本発明によれば、指定された種類のデータが再生できない箇所を再生可能な他の種類のデータで再生することで、再生時にスキップする箇所を減少させ、不自然な再生が行われる回数を減少させるディスク再生装置及びディスク再生方法を提供することができる。
【発明を実施するための最良の形態】
【００２０】
本発明の実施の形態を、図面を参照して説明する。なお、以下の実施例は本発明の具体例の１つに過ぎず、本発明が以下の実施形態に限定されるものではない。
【００２１】
図１は、本実施例におけるディスク再生装置の構成を示すブロック図である。このディスク再生装置は、ディスク１００を回転させるスピンドルモータ１１２、ディスクに記載された情報を読み取る光学ピックアップ１１４、光学ピックアップ１１４を移動させる送り機構１１６、スピンドルモータ１１２と送り機構１１６を駆動させるドライバ１１８、光学ピックアップ１１４の出力信号を増幅するＲＦアンプ１２０、ＲＦアンプ１２０の出力信号の復調と誤り訂正と各データの分離処理を行う信号処理部１２２、映像データを復号するビデオデコーダ１２４、音声データを復号するオーディオデコーダ１２６、ビデオデコーダ１２４の出力信号をＤ／Ａ変換するＤ／Ａ変換器１２８、オーディオデコーダ１２６の出力信号をＤ／Ａ変換するＤ／Ａ変換器１３０、Ｄ／Ａ変換器１２８の出力信号をＮＴＳＣ方式の映像信号に変換するＮＴＳＣエンコーダ１３２、画像／音声の再生ができない箇所を特定するエラー情報を取得する画像／音声エラー情報取得部１４８、ディスクに固有の識別情報を取得するディスク情報取得部１５０、識別情報とエラー情報を記憶する不揮発性メモリ１４２、ユーザの入力操作を受け付ける操作部１４４、画像／音声エラー情報取得部１４８とディスク情報取得部１５０を制御する再生指示制御部１４６、ドライバ１１８と信号処理部１２２と操作部１４４と再生指示制御部１４６を制御するシステム制御部１４０を備える。
【００２２】
初めて再生されるディスクの場合、再生指示制御部１４６は、識別情報をディスク情報取得部１５０で取得し、エラー情報を画像／音声エラー情報取得部１４８で取得し、識別情報とエラー情報を不揮発性メモリ１４２で記憶するよう、制御する。図３は、ディスク毎に不揮発メモリ１４２に記憶される内容を示す説明図である。初めて再生する際、同図に示すように、エラーが発生する度に、その箇所を特定するためのエラー情報（エラー開始アドレス及びエラー終了アドレス）並びに復号できなかったデータの種類を記憶して行く。２回目以降の再生の場合には、エラー情報（エラー開始アドレス及びエラー終了アドレス）で特定される箇所の再生の際、図２のフローチャートに示す処理を行う。
【００２３】
以下、図２のフローチャートに示す処理について説明する（ここでは、説明の便宜上、ユーザが日本語を選択している場合で記載したが、本発明はこれに限定するものではない）。この処理において、条件分岐の判断及び処理の流れの制御は、再生指示制御部１４６においてなされる。また、エラーであるか否かの判断は、不揮発性メモリ１４２に記憶された情報（図３に示す）により行う。まず、ステップＳ２１０では、リアルタイムデータがエラーであるか否かを判断し、リアルタイムデータがエラーである場合は、ステップＳ２２０に進み、そうでない場合は、ステップＳ２３０に進む。ステップＳ２２０では、映像と音声をスキップ再生に切り替え、「割り込み終了」に進む。
【００２４】
ステップＳ２３０では、ビデオデータがエラーであるか否かを判断し、ビデオデータがエラーの場合は、ステップＳ２４０に進み、そうでない場合は、ステップＳ２５０に進む。ステップＳ２４０では、映像を直前に再生された映像の静止画表示に切り替え、ステップＳ２５０に進む。
【００２５】
ステップＳ２５０では、再生中のオーディオデータがエラーであるか否かを判断し、再生中のオーディオデータがエラーの場合は、ステップＳ２６０に進み、そうでない場合は、ステップＳ３５０に進む。
【００２６】
ステップＳ２６０では、オーディオデータの全てがエラーか否かを判断し、全てがエラーの場合は、ステップＳ２７０に進み、そうでない場合は、ステップＳ３１０に進む。ステップＳ２７０では、音声を出力しないことにし、ステップＳ２８０に進む。
【００２７】
ステップＳ２８０では、サブピクチャデータがエラーか否かを判断し、サブピクチャデータがエラーの場合は、ステップＳ２９０に進み、そうでない場合は、ステップＳ３００に進む。ステップＳ２９０では、サブピクチャ（日本語字幕）を表示しないことにし、「割り込み終了」に進む。ステップＳ３００では、サブピクチャ（日本語字幕）を表示し、「割り込み終了」に進む。
【００２８】
ステップＳ３１０では、第２音声（日本語吹き替え）がエラーか否かを判断し、第２音声（日本語吹き替え）がエラーの場合は、ステップＳ３２０に進み、そうでない場合は、ステップＳ３３０に進む。ステップＳ３２０では、復号できたオーディオデータの再生に切り替え、ステップＳ２８０に進む。ステップＳ３３０では、第２音声（日本語吹き替え）の再生に切り替え、続くステップＳ３４０では、サブピクチャ（日本語字幕）を表示しないことにし、「割り込み終了」に進む。
【００２９】
ステップＳ３５０では、サブピクチャデータがエラーか否かを判断し、サブピクチャデータがエラーの場合は、ステップＳ３１０に進み、そうでない場合は、「割り込み終了」に進む。
【００３０】
このようにして、エラー情報で特定される箇所の再生の際、他の再生可能なデータで再生することができる。
【００３１】
以上述べたように、本発明では、指定された種類のデータが再生できない箇所を再生可能な他の種類のデータで再生することで、再生時にスキップする箇所を減少させ、不自然な再生が行われる回数を減少させるディスク再生装置及びディスク再生方法を提供することができる。
【図面の簡単な説明】
【００３２】
【図１】実施例の構成を示すブロック図である。
【図２】実施例のフローチャートを示す図である。
【図３】不揮発性メモリに記憶される内容を示す説明図である。
【符号の説明】
【００３３】
１４２  不揮発性メモリ
１４４  操作部
１４６  再生指示制御部
１４８  画像／音声エラー情報取得部
１５０  ディスク情報取得部
【図１】
2007095153.tif 000003
【図２】
2007095153.tif 000004
【図３】
2007095153.tif 000005